(57)【要約】【課題】簡易に装着することができるとともに外観上優れた保護マスク装着用アタッチメント及び保護マスク付ヘルメットの提供。【解決手段】  保護マスク装着用アタッチメント１は、保護マスク１０に固定される第１マスク装着部２と、保護マスク１０に対して第１マスク装着部２が固定されている位置とは反対側に固定される第２マスク装着部３と、ヘルメット１００の内側に位置するバンド部１０１に固定される固定部４１と、第１マスク装着部２が着脱可能に装着される第１ベルト部４２と、第２マスク装着部３が着脱可能に装着される第２ベルト部４３と、を有するヘルメット装着部４と、を有している。第１ベルト部４２及び第２ベルト部４３は、固定部４１に対して回動可能に接続されている。【選択図】図５
0003219891.tif 000002
【実用新案登録請求の範囲】
【請求項１】
保護マスクに固定される第１マスク装着部と、
前記保護マスクに対して前記第１マスク装着部が固定されている位置とは反対側に固定される第２マスク装着部と、
ヘルメットの内側に位置するバンド部に固定される固定部と、前記第１マスク装着部が着脱可能に装着される第１ベルト部と、前記第２マスク装着部が着脱可能に装着される第２ベルト部と、を有するヘルメット装着部と、を有し、
前記第１マスク装着部は、任意の位置で第１ベルト部に対して固定可能であって、
前記第２マスク装着部は、任意の位置で第２ベルト部に対して固定可能であって、
前記第１ベルト部及び第２ベルト部は、前記固定部に対して回動可能に接続されていることを特徴とする保護マスク装着用アタッチメント。
【請求項２】
前記固定部には、先端が拡径している複数の突起部が設けられ、
前記複数の突起部が前記バンド部に形成された複数の固定孔に挿入されることによって、前記固定部が前記ヘルメットに固定されることを特徴とする請求項１に記載の保護マスク装着用アタッチメント。
【請求項３】
前記ヘルメット装着部は、リング状の第１ワイヤ部と、リング状の第２ワイヤ部と、をさらに有し、
前記第１ベルト部と前記固定部との接続部分、及び前記第２ベルト部と前記固定部との接続部分には、複数の回動孔が形成され、
前記複数の回動孔に前記第１ワイヤ部を挿通させることにより前記第１ベルト部は前記固定部に対して回動可能であって、
前記複数の回動孔に前記第２ワイヤ部を挿通させることにより前記第２ベルト部は前記固定部に対して回動可能であることを特徴とする請求項１または２に記載の保護マスク装着用アタッチメント。
【請求項４】
保護マスクと、
頭に当接し内部に位置するバンド部を有するヘルメットと、
前記保護マスクに固定される第１マスク装着部と、
前記保護マスクに対して前記第１マスク装着部が固定されている位置とは反対側に固定される第２マスク装着部と、
前記バンド部に固定される固定部と、前記第１マスク装着部が着脱可能に装着される第１ベルト部と、前記第２マスク装着部が着脱可能に装着される第２ベルト部と、を有するヘルメット装着部と、を有し、
前記第１マスク装着部は、任意の位置で第１ベルト部に対して固定可能であって、
前記第２マスク装着部は、任意の位置で第２ベルト部に対して固定可能であって、
前記第１ベルト部及び第２ベルト部は、前記固定部に対して回動可能に接続され、
前記第１ベルト部及び前記第２ベルト部を回動させることにより、前記第１ベルト部及び前記第２ベルト部が前記ヘルメットの内部に収納された収納状態と、前記第１ベルト部及び前記第２ベルト部を前記ヘルメットから露出させ前記第１マスク装着部を前記第１ベルト部に装着可能にするとともに前記第２マスク装着部を前記第２ベルト部に装着可能とした使用状態と、を切替可能であることを特徴とする保護マスク付ヘルメット。
【考案の詳細な説明】
【技術分野】
【０００１】
本考案は、保護マスク装着用アタッチメント及び保護マスク付ヘルメットに関する。
【背景技術】
【０００２】
工事現場等の粉塵が舞う作業場では、作業員は自身の健康被害防止のために保護マスクを装着する。従来の作業マスク装着具及びこれを用いたヘルメットは、ヘルメットにマスクを装着するための第１のプレート及び第２のプレートを有していて、第２のプレートに設けられた可動プレート部は、第１のプレートに対して開状態だけでなく閉状態においても回動可能となっている（例えば、特許文献１）。これにより、簡易な操作で作業用マスクの取外しを行うことができる。
【０００３】
特許文献２に記載の防塵マスク取付紐は、４本の紐が防塵マスクから延びていて、ヘルメットを周回させるストッパ紐に接続されている。これにより、防塵マスク取付紐によって首の動きが制限されることなく首を自由に動かすことができる。
【先行技術文献】
【特許文献】
【０００４】
【特許文献１】特開２００９−１２５３７０号公報
【特許文献２】実用新案登録第３０７６４６２号
【考案の概要】
【考案が解決しようとする課題】
【０００５】
しかし、特許文献１に記載の作業マスク装着具では、常に作業マスクを装着して作業を行うことが前提となっているため、例えばマスクを使用しない場合であっても、第１のプレート及び第２のプレートがヘルメットから外部に露出している状態となっていた。耳の周囲にこれらの部材が位置することにより、作業の妨げになるとともに外観上も好ましくなかった。さらに、作業マスク装着具は、ヘルメットの周縁に固定する構造となっているため、ヘルメットへの固定部分が外部に露出している状態となっており、ヘルメットが周囲の突起等と衝突することにより作業用マスク装着具がヘルメットから外れる可能性があった。
【０００６】
また、特許文献２に記載の防塵マスク取付紐では、防塵マスクの装着及び取外しの度に紐を緩める又は締める作業が必要となるため、防塵マスクの装着に手間がかかっていた。
【０００７】
そこで、本考案では、簡易に装着することができるとともに外観上優れた保護マスク装着用アタッチメント及び保護マスク付ヘルメットを提供することを目的とする。
【課題を解決するための手段】
【０００８】
上記課題を解決するために本考案は、保護マスクに固定される第１マスク装着部と、前記保護マスクに対して前記第１マスク装着部が固定されている位置とは反対側に固定される第２マスク装着部と、ヘルメットの内側に位置するバンド部に固定される固定部と、前記第１マスク装着部が着脱可能に装着される第１ベルト部と、前記第２マスク装着部が着脱可能に装着される第２ベルト部と、を有するヘルメット装着部と、を有し、前記第１マスク装着部は、任意の位置で第１ベルト部に対して固定可能であって、前記第２マスク装着部は、任意の位置で第２ベルト部に対して固定可能であって、前記第１ベルト部及び第２ベルト部は、前記固定部に対して回動可能に接続されていることを特徴とする保護マスク装着用アタッチメントを提供している。
【０００９】
第２の考案では、第１の考案の保護マスク装着用アタッチメントであって、前記固定部には、先端が拡径している複数の突起部が設けられ、前記固定部には、先端が拡径している複数の突起部が設けられ、前記複数の突起部が前記バンド部に形成された複数の固定孔に挿入されることによって、前記固定部が前記ヘルメットに固定されることを特徴としている。
【００１０】
第３の考案では、第１の考案又は第２の考案に記載の保護マスク装着用アタッチメントであって、前記ヘルメット装着部は、リング状の第１ワイヤ部と、リング状の第２ワイヤ部と、をさらに有し、前記第１ベルト部と前記固定部との接続部分、及び前記第２ベルト部と前記固定部との接続部分には、複数の回動孔が形成され、前記複数の回動孔に前記第１ワイヤ部を挿通させることにより前記第１ベルト部は前記固定部に対して回動可能であって、前記複数の回動孔に前記第２ワイヤ部を挿通させることにより前記第２ベルト部は前記固定部に対して回動可能であることを特徴としている。
【００１１】
第４の考案では、保護マスクと、頭に当接し内部に位置するバンド部を有するヘルメットと、前記保護マスクに固定される第１マスク装着部と、前記保護マスクに対して前記第１マスク装着部が固定されている位置とは反対側に固定される第２マスク装着部と、前記バンド部に固定される固定部と、前記第１マスク装着部が着脱可能に装着される第１ベルト部と、前記第２マスク装着部が着脱可能に装着される第２ベルト部と、を有するヘルメット装着部と、を有し、前記第１マスク装着部は、任意の位置で第１ベルト部に対して固定可能であって、前記第２マスク装着部は、任意の位置で第２ベルト部に対して固定可能であって、前記第１ベルト部及び第２ベルト部は、前記固定部に対して回動可能に接続され、前記第１ベルト部及び前記第２ベルト部を回動させることにより、前記第１ベルト部及び前記第２ベルト部が前記ヘルメットの内部に収納された収納状態と、前記第１ベルト部及び前記第２ベルト部を前記ヘルメットから露出させ前記第１マスク装着部を前記第１ベルト部に装着可能にするとともに前記第２マスク装着部を前記第２ベルト部に装着可能とした使用状態と、を切替可能であることを特徴とする保護マスク付ヘルメットを提供している。
【考案の効果】
【００１２】
第１の考案によると、第１ベルト部及び第２ベルト部が固定部に対して回動可能に接続されているため、ヘルメット装着部をヘルメットに装着した状態で保護マスクを使用しないときは、第１ベルト部及び第２ベルト部を回動させてヘルメット内部に収納することができる。これにより、第１ベルト部及び第２ベルト部が作業の邪魔になることない。また、第１ベルト部及び第２ベルト部が外部に露出しないため、外観上も優れたヘルメットとなる。保護マスクを装着するときは第１マスク装着部を第１ベルト部に固定するとともに第２マスク装着部を第２ベルト部に固定することで完了するため、簡易な操作で保護マスクを装着することができる。
【００１３】
作業現場の作業者は、広く一般に普及している使い捨てタイプの紐でヘルメットに固定する保護マスクを使用していると、マスク着脱に手間がかかるため一度保護マスクを取り外すと再び取り付けるということに抵抗を感じることが多い。しかし、本件考案の保護マスク装着用アタッチメントを使用することにより簡単な操作で保護マスクを装着することができるため、作業員に負担を感じさせることなく保護マスクを装着させることができる。
【００１４】
また、固定部がヘルメットの内側に位置するバンド部に固定されるため、保護マスク装着用アタッチメントとヘルメットとの固定部分が外部に露出しない。これにより、ヘルメットが外部部材に激突したとしても、保護マスク装着用アタッチメントがヘルメットから外れ難くなる。さらに、保護マスクは第１マスク装着部及び第２マスク装着部によって独立にヘルメット装着部に固定されているため、一方のマスク装着部のみを取り外すことも可能である。これにより、保護マスクをヘルメットから完全に離脱させることなく、一時的に保護マスクを口から取り外すことができる。
【００１５】
第２の考案によると、バンド部の固定孔には先端が拡径している突起部が挿入されるため、ヘルメット装着部とバンド部とを確実に固定することができる。また、複数の突起部が複数の固定孔に挿入されるため、複数の位置でヘルメット装着部をバンド部に固定することができる。
【００１６】
第３の考案によると、複数の回動孔に第１ワイヤ部を挿通させることにより第１ベルト部を固定部に対して回動可能とするとともに複数の回動孔に第２ワイヤ部を挿通させることにより第２ベルト部を固定部に対して回動可能としているため、ヘルメット装着部をヘルメットに装着した状態で保護マスクを使用しないときは、第１ベルト部及び第２ベルト部を回動させてヘルメット内部に収納することができる。これにより、第１ベルト部及び第２ベルト部が作業の邪魔になることない。
【００１７】
第４の考案によると、第１ベルト部及び第２ベルト部がヘルメット内部に収納された収納状態と、第１ベルト部及び第２ベルト部をヘルメットから露出させ第１マスク装着部を第１ベルト部に装着可能にするとともに第２マスク装着部を第２ベルト部に装着可能とした使用状態とを切替可能であるため、保護マスクを使用しないときは第１ベルト部及び第２ベルト部を回動させてヘルメット内部に収納することができる。これにより、第１ベルト部及び第２ベルト部が作業の邪魔になることない。また、第１ベルト部及び第２ベルト部が外部に露出しないため、外観上も優れたヘルメットとなる。
【００１８】
さらに、固定部がヘルメットの内側に位置するバンド部に固定されるため、ヘルメット装着部とヘルメットとの固定部分が外部に露出しない。これにより、ヘルメットが外部部材に激突したとしても、ヘルメット装着部がヘルメットから外れ難くなる。また、保護マスクは第１マスク装着部及び第２マスク装着部によって独立にヘルメット装着部に固定されているため、一方のマスク装着部のみを取り外すことも可能である。これにより、保護マスクをヘルメットから完全に離脱させることなく、一時的に保護マスクを口から取り外すことができる。
【００１９】
本考案によると、簡易に装着することができるとともに外観上優れた保護マスク装着用アタッチメント及び保護マスク付ヘルメットを提供することができる。
【図面の簡単な説明】
【００２０】
【図１】本考案の実施の形態の保護マスク装着用アタッチメントの平面図。
【図２】本考案の実施の形態の保護マスク装着用アタッチメントの第１マスク装着部及び第２マスク装着部をヘルメット装着部から取外したときの平面図。
【図３】本考案の実施の形態の保護マスク装着用アタッチメントを装着したヘルメットに保護マスクを装着したときの斜視図。
【図４】本考案の実施の形態の保護マスク装着用アタッチメントを装着したヘルメットから保護マスクを外したときの斜視図。
【図５】本考案の実施の形態の保護マスク装着用アタッチメントを装着したヘルメットに保護マスクを装着したときの正面図。
【図６】本考案の実施の形態の保護マスク装着用アタッチメントの固定部とヘルメットのバンド部との固定方法を説明するための部分断面図。
【図７】本考案の実施の形態の保護マスク装着用アタッチメントのヘルメット装着部をヘルメットに装着して固定部を使用状態としたときのヘルメットの背面図。
【図８】本考案の実施の形態の保護マスク装着用アタッチメントのヘルメット装着部をヘルメットに装着して固定部を収納状態としたときのヘルメットの背面図。
【考案を実施するための形態】
【００２１】
本考案の実施の形態による保護マスク装着用アタッチメント１、保護マスク１０、及びヘルメット１００を図１から図８に基づいて説明する。図中に示すように、前後上下左右方向を定義する。保護マスク１０とは、防じん、防ガス、防毒を目的とするものであるが、これに限定されず作業現場において使用されるものであればよい。
【００２２】
図１及び図２に示すように、保護マスク装着用アタッチメント１は、第１マスク装着部２と、第２マスク装着部３と、ヘルメット装着部４と、から構成される。第１マスク装着部２は、第１解除ボタン２１と、第１取付部２２と、第１挿入部２３と、第１バンド保持部２４と、第１バンド支持部２５と、を有している。
【００２３】
第１解除ボタン２１は、ヘルメット装着部４に対する第１マスク装着部２の位置決めを解除するためのボタンであって、第１マスク装着部２の中央部に配置されている。第１解除ボタン２１には図示せぬ爪部が設けられていて、ヘルメット装着部４の第１歯部４２Ａと係合することによりラチェット機構を構成する。図１に示す状態で第１解除ボタン２１を押下したまま第１マスク装着部２をヘルメット装着部４に対して移動させることにより、図２に示すように第１マスク装着部２をヘルメット装着部４から離脱させることができる。第１解除ボタン２１を離すことにより図示せぬ爪部と第１歯部４２Ａとが係合し、任意の位置で第１マスク装着部２を固定することができる。
【００２４】
第１取付部２２は、先端部分が拡大して抜け止めとなっており、内側に窪んだ溝２２ａが形成されている。図５に示すように、第１取付部２２が保護マスク１０のフィルタ部１１の右側に設けられた第１係止部１２に挿入されることにより、第１マスク装着部２が保護マスク１０に固定される。第１取付部２２の保護マスク１０への取付方法は、上記に限定されず任意の方法を選択することができる。また、第１取付部２２の形状は、一般に市販されている保護マスク１０の第１係止部１２に固定可能に構成される。
【００２５】
第１挿入部２３には後述の第１ベルト部４２が挿入され、第１挿入部２３に挿入された当該第１ベルト部４２の先端部分は第１バンド保持部２４によって第１マスク装着部２から離間しないように保持される。第１ベルト部４２の背面は、第１バンド支持部２５によって支持される。
【００２６】
第２マスク装着部３には、第２解除ボタン３１と、第２取付部３２と、第２挿入部３３と、第２バンド保持部３４と、第２バンド支持部３５と、を有している。
【００２７】
第２解除ボタン３１は、ヘルメット装着部４に対する第２マスク装着部３の位置決めを解除するためのボタンであって、第２マスク装着部３の中央部に配置されている。第２解除ボタン３１には、図示せぬ爪部が設けられていて、ヘルメット装着部４の第２歯部４３Ａと係合することによりラチェット機構を構成する。図１に示す状態で第２解除ボタン３１を押下したまま第２マスク装着部３をヘルメット装着部４に対して移動させることにより、図２に示すように第２マスク装着部３をヘルメット装着部４から離脱させることができる。第２解除ボタン３１を離すことにより図示せぬ爪部と第２歯部４３Ａとが係合し、任意の位置で第２マスク装着部３を固定することができる。
【００２８】
図５に示すように、第２取付部３２は、保護マスク１０に対して第１取付部２２が固定されている位置とは反対側の位置、つまり、保護マスク１０の左側に固定される。第２取付部３２は、先端部分が拡大して抜け止めとなっており、内側に窪んだ溝３２ａが形成されている。図５に示すように、第２取付部３２が保護マスク１０のフィルタ部１１の左側に設けられた第２係止部１３に挿入されることにより、第２マスク装着部３が保護マスク１０に固定される。第２取付部３２の保護マスク１０への取付方法は、上記に限定されず任意の方法を選択することができる。また、第２取付部３２の形状は、一般に市販されている保護マスク１０の第２係止部１３に固定可能に構成される。
【００２９】
第２挿入部３３には後述の第２ベルト部４３が挿入され、第２挿入部３３に挿入された当該第２ベルト部４３の先端部分は第２バンド保持部３４によって第２マスク装着部３から離間しないように保持される。第２ベルト部４３の背面は、第２バンド支持部３５によって支持される。
【００３０】
ヘルメット装着部４は、固定部４１と、第１ベルト部４２と、第２ベルト部４３と、第１ワイヤ部４４と、第２ワイヤ部４５と、を有している。固定部４１には、図１及び図６に示すような突起部４１Ａが複数設けられている。突起部４１Ａには貫通孔４１ａが形成され、先端に拡径した拡径部４１Ｂが設けられている。
【００３１】
図７に示すように、バンド部１０１はヘルメット１００を装着したときに頭全体に当接する部分であって、ヘルメット１００の内側空間の周囲から中央部分に亘って設けられている。図６に示すように、バンド部１０１には、複数の固定孔１０１ａが形成されていて、ヘルメット装着部４は突起部４１Ａを固定孔１０１ａに挿通させることよってヘルメット１００の内側に設けられたバンド部１０１に固定される。
【００３２】
固定部４１をヘルメット１００に固定するときは、突起部４１Ａを対応する固定孔１０１ａに挿入する。これにより、拡径部４１Ｂが抜け止めとなって、固定部４１がヘルメット１００から離脱することを防止できる。
【００３３】
第１ベルト部４２は、固定部４１から斜め方向に延出しており、第１マスク装着部２の爪部と係合する第１歯部４２Ａが設けられている。第２ベルト部４３は、図１の中心線Ｃに対して第１ベルト部４２と線対称となるように固定部４１から斜め方向に延出している。第２ベルト部４３には、第２マスク装着部３の爪部と係合する第２歯部４３Ａが設けられている。
【００３４】
固定部４１、第１ベルト部４２、及び第２ベルト部４３には、複数の回動孔４１ｂが形成されている。固定部４１と第１ベルト部４２とは、リング状の第１ワイヤ部４４が回動孔４１ｂに挿通されることによって、互いに回動可能に接続されている。同様に、固定部４１と第２ベルト部４３とは、リング状の第２ワイヤ部４５が回動孔４１ｂに挿通されることによって、互いに回動可能に接続されている。第１ワイヤ部４４及び第２ワイヤ部４５は、金属製であってもよく樹脂製であってもよい。
【００３５】
次に、保護マスク装着用アタッチメント１をヘルメット１００に装着したときの使用方法について説明する。
【００３６】
固定部４１の突起部４１Ａを対応する固定孔１０１ａに挿入することにより、ヘルメット装着部４をヘルメット１００に固定する。このとき、図７に示すように、第１ベルト部４２及び第２ベルト部４３をヘルメット１００から露出させた使用状態とする。ヘルメット１００を頭に被り、図４に示すように第１ベルト部４２及び第２ベルト部４３を前方に傾ける。図３に示すように第１歯部４２Ａと第１マスク装着部２の爪部を係合させるとともに、第２歯部４３Ａと第２マスク装着部３の爪部とを係合させて保護マスク１０を装着する。このとき、第１解除ボタン２１及び第２解除ボタン３１を押下しながら保護マスク１０の位置を微調整する。これにより、保護マスク装着用アタッチメント１を用いた保護マスク１０のヘルメット１００への装着が完了する。
【００３７】
保護マスク１０を使用しなくなったときは、第１解除ボタン２１及び第２解除ボタン３１を押下して、図４に示すようにヘルメット１００から保護マスク１０を外す。ヘルメット１００を頭から外し、図８に示すように、第１ベルト部４２及び第２ベルト部４３をヘルメット１００内部に収納した収納状態とする。このとき、第１ベルト部４２及び第２ベルト部４３は、バンド部１０１に沿うように湾曲した状態でヘルメット１００の内部に収納される。この状態で、ヘルメット１００を再び装着する。
【００３８】
このような構成によると、第１ベルト部４２及び第２ベルト部４３が固定部４１に対して回動可能に接続されているため、ヘルメット装着部４をヘルメット１００に装着した状態で保護マスク１０を使用しないときは、第１ベルト部４２及び第２ベルト部４３を回動させてヘルメット１００内部に収納することができる。これにより、第１ベルト部４２及び第２ベルト部４３が作業の邪魔になることない。また、第１ベルト部４２及び第２ベルト部４３が外部に露出しないため、外観上も優れたヘルメット１００となる。保護マスク１０を装着するときは第１マスク装着部２を第１ベルト部４２に固定するとともに第２マスク装着部３を第２ベルト部４３に固定することで完了するため、簡易な操作で保護マスク１０を装着することができる。
【００３９】
作業現場の作業者は、広く一般に普及している使い捨てタイプの紐でヘルメットに固定する保護マスクを使用していると、マスク着脱に手間がかかるため一度保護マスクを取り外すと再び取り付けるということに抵抗を感じることが多い。しかし、本件考案の保護マスク装着用アタッチメント１を使用することにより簡単な操作で保護マスク１０を装着することができるため、作業員に負担を感じさせることなく保護マスク１０を装着させることができる。
【００４０】
また、固定部４１がヘルメット１００の内側に位置するバンド部１０１に固定されるため、保護マスク装着用アタッチメント１とヘルメット１００との固定部分が外部に露出しない。これにより、ヘルメット１００が外部部材に激突したとしても、保護マスク装着用アタッチメント１がヘルメット１００から外れ難くなる。さらに、保護マスク１０は第１マスク装着部２及び第２マスク装着部３によって独立にヘルメット装着部４に固定されているため、一方のマスク装着部のみを取り外すことも可能である。これにより、保護マスク１０をヘルメット１００から完全に離脱させることなく、一時的に保護マスク１０を口から取り外すことができる。
【００４１】
このような構成によると、バンド部１０１の固定孔１０１ａに先端が拡径している突起部４１Ａが挿入されるため、ヘルメット装着部４とバンド部１０１とを確実に固定することができる。また、複数の突起部４１Ａが複数の固定孔１０１ａに挿入されるため、複数の位置でヘルメット装着部４をバンド部１０１に固定することができる。
【００４２】
このような構成によると、複数の回動孔４１ｂに第１ワイヤ部４４を挿通させることにより第１ベルト部４２を固定部４１に対して回動可能とするとともに複数の回動孔４１ｂに第２ワイヤ部４５を挿通させることにより第２ベルト部４３を固定部４１に対して回動可能としているため、ヘルメット装着部４をヘルメット１００に装着した状態で保護マスク１０を使用しないときは、第１ベルト部４２及び第２ベルト部４３を回動させてヘルメット１００内部に収納することができる。これにより、第１ベルト４２部及び第２ベルト部４３が作業の邪魔になることない。
【００４３】
このような構成によると、図８に示す第１ベルト部４２及び第２ベルト部４３がヘルメット１００内部に収納された収納状態と、図７に示す第１ベルト部４２及び第２ベルト部４３をヘルメット１００から露出させ第１マスク装着部２を第１ベルト部４２に装着可能にするとともに第２マスク装着部３を第２ベルト部４３に装着可能とした使用状態とを切替可能であるため、保護マスク１０を使用しないときは第１ベルト４２部及び第２ベルト部４３を回動させてヘルメット１００内部に収納することができる。これにより、第１ベルト部４２及び第２ベルト部４３が作業の邪魔になることない。
【００４４】
本考案の実施の形態は、上述した実施の形態に限定されず、実用新案登録請求の範囲に記載された考案の要旨の範囲内で種々の変更が可能である。
【００４５】
上記の実施の形態では、第１取付部２２及び第２取付部３２は、一般に市販されている保護マスク１０に固定可能であったが、これに限定されない。例えば、第１取付部及び第２取付部として複数のアタッチメントを第１マスク装着部及び第２マスク装着部に対して着脱可能に設け、保護マスクの形式によって任意のアタッチメントを選択してもよい。
【００４６】
上述の実施の形態では、固定部４１と第１ベルト部４２とを第１ワイヤ部４４で回動可能に接続するとともに、固定部４１と第２ベルト部４３とを第２ワイヤ部４５とで回動可能に接続していたが、これに限定されず、互いに回動可能な構成であればよい。
【符号の説明】
【００４７】
１      保護マスク装着用アタッチメント
２      第１マスク装着部
３      第２マスク装着部
４      ヘルメット装着部
１０    保護マスク
４１    固定部
４１ａ  固定孔
４２    第１ベルト部
４３    第２ベルト部
４４    第１ワイヤ部
４５    第２ワイヤ部
１００  ヘルメット
１０１  バンド部
１０２  突起部
【図１】
0003219891.tif 000003
【図２】
0003219891.tif 000004
【図３】
0003219891.tif 000005
【図４】
0003219891.tif 000006
【図５】
0003219891.tif 000007
【図６】
0003219891.tif 000008
【図７】
0003219891.tif 000009
【図８】
0003219891.tif 000010